(57)【要約】【課題】小スペースでかつ簡便に利用できる録音機能を双眼鏡に搭載する。【解決手段】双眼鏡本体１０Ａに対物レンズ１１Ｒを有する右側光学系を設ける。本体１０Ａに対し相対変位可能な可動部１０Ｂに対物レンズ１１Ｌを有する左側光学系を設ける。本体１０Ａに可動部１０Ｂに嵌入される嵌入部１０ａを設ける。本体１０Ａのケーシング底面に隣接しかつ平行に回路基板２３を配置する。回路基板の可動部１０Ｂよりの端に録音マイク２２及びスイッチ２４を設ける。可動部１０Ｂの開口部１０ｂを肉厚に成形するとともに内側に段部１０ｅを形成する。可動部１０Ｂを最大眼幅位置にまで変位させたときに段部１０ｅがスイッチ２４の操作部２４ａに接触し録音マイク２２の録音機能をオン状態に切り替える。可動部１０Ｂの開口部１０ｂに切欠き１０ｄが設けられ、眼幅最大位置において、録音マイク２２が外部に露出する。【選択図】        図７
2004163727.tif 000002
【特許請求の範囲】
【請求項１】
第１及び第２の観察光学系を有する双眼鏡であって、
前記第１の観察光学系を格納する第１のケーシングと、
前記第１のケーシングに対し相対変位可能であり、前記第２の観察光学系を格納する第２のケーシングと、
前記第１のケーシングに一体的に設けられ、前記第２のケーシング内に嵌入される嵌入部と、
前記嵌入部に設けられた録音マイクと、
前記録音マイクによる録音機能のオン／オフを切り替えるためのスイッチとを備え、
前記第２のケーシングを前記第１のケーシングに対し相対変位させることにより前記双眼鏡の眼幅が調整され、前記眼幅が最大位置に達したときに前記スイッチが前記録音機能をオン状態とする
ことを特徴とする双眼鏡。
【請求項２】
前記眼幅が最大位置にあるときに前記嵌入部に設けられた前記録音マイクが、前記第２のケーシングの外部に露出することを特徴とする請求項１に記載の双眼鏡。
【請求項３】
前記第２のケーシングに切欠き又は穿孔が形成され、前記眼幅が最大位置にあるときに前記録音マイクが前記切欠き又は穿孔を通して外部に露出することを特徴とする請求項２に記載の双眼鏡。
【請求項４】
前記スイッチが前記嵌入部に設けられ、前記眼幅が最大位置に達したとき前記スイッチの操作部が前記第１のケーシングと接触することにより前記録音機能がオン状態に設定されることを特徴とする請求項１に記載の双眼鏡。
【請求項５】
前記第１のケーシングの開口部が肉厚に形成されるとともに前記第１のケーシングの内側に段部を有し、前記段部が前記操作部と接触することにより前記録音機能がオン状態に設定されることを特徴とする請求項４に記載の双眼鏡。
【請求項６】
前記第１のケーシングの内側に、前記第１のケーシングに近接するとともに前記第１のケーシングに平行に回路基板が設けられ、前記録音マイクが前記回路基板に設けられることを特徴とする請求項１に記載の双眼鏡。
【請求項７】
前記第１のケーシングの内側に、前記第１のケーシングの近接するとともに前記第１のケーシングに平行に回路基板が設けられ、前記スイッチが前記回路基板に設けられることを特徴とする請求項１に記載の双眼鏡。
【請求項８】
前記録音マイクが前記双眼鏡の底面に設けられていることを特徴とする請求項１に記載の双眼鏡。
【請求項９】
前記底面が三脚を取り付けるための三脚取付部を有することを特徴とする請求項１に記載の双眼鏡。
【請求項１０】
前記双眼鏡が画像撮影手段を備え、前記録音マイクにより録音された音声データが前記画像撮影手段により撮影された画像に対応付けて記録可能であることを特徴とする請求項１に記載の双眼鏡。
【発明の詳細な説明】
【０００１】
【発明の属する技術分野】
本発明は、眼幅を調整可能な双眼鏡に関する。
【０００２】
【従来の技術】
デジタルカメラの機能と双眼鏡の機能が一体化されたデジタルカメラ機能付き双眼鏡が知られている。デジタルカメラ機能付き双眼鏡では、接眼レンズを通して複眼視される映像と略同一の画像を液晶モニタに表示できるとともにデジタル画像として記録可能である。
【０００３】
ところで、デジタルカメラには、記録画像に音を附すために録音マイクを備えるものがある。録音は例えば撮影直後の所定時間内に行われる場合や、撮影作業終了後、画像を選択してアフレコとして録音される場合がある。前者は、撮影現場において周囲の音を録音し臨場感を演出する場合や、撮影状況を説明する音声をメモとして録音する場合などに用いられる。また後者の場合は、撮影画像の中から選択された画像をモニタ等に表示して、画像に附すべき音声データが録音される。
【０００４】
録音マイクを用いた録音機能は常時使用されるわけではないので、必要に応じてその機能のオン／オフを設定するためのスイッチが必要である。従来録音機能のオン／オフは、例えばカメラのケーシングに設けられた専用のスイッチや、画面表示を用いたソフト的なモードの切り替え操作により設定されている。しかし、専用スイッチをケーシングに設けるには、場所的・空間的な問題があり、ソフト的に行う場合には操作が煩雑である。また、録音機能を備えたカメラでは、録音マイクのためにケーシングに穿孔が設けられているが、ケーシングに設けられた穿孔からは、埃や水などの異物が混入し易いという問題がある。
【０００５】
【発明が解決しようとする課題】
本発明は、小スペースでかつ簡便に利用できる録音機能を双眼鏡に搭載することを目的としている。
【０００６】
【課題を解決するための手段】
本発明の双眼鏡は、第１及び第２の観察光学系を有する双眼鏡であって、第１の観察光学系を格納する第１のケーシングと、第１のケーシングに対し相対変位可能であり、第２の観察光学系を格納する第２のケーシングと、第１のケーシングに一体的に設けられ、第２のケーシング内に嵌入される嵌入部と、この嵌入部に設けられた録音マイクと、録音マイクによる録音機能のオン／オフを切り替えるためのスイッチとを備え、第２のケーシングを第１のケーシングに対し相対変位させることにより双眼鏡の眼幅が調整され、眼幅が最大位置に達したときにスイッチが録音機能をオン状態とすることを特徴としている。
【０００７】
埃や水等の異物の浸入を防ぐためには、眼幅が最大位置にあるときに嵌入部に設けられた録音マイクが、第２のケーシングの外部に露出することが好ましい。このとき第２のケーシングには例えば切欠き又は穿孔が形成され、眼幅が最大位置にあるときに録音マイクが切欠き又は穿孔を通して外部に露出する。
【０００８】
スイッチ機構を簡略な構成とするには、スイッチは嵌入部に設けられ、眼幅が最大位置に達したときスイッチの操作部が第１のケーシングと接触することにより録音機能がオン状態に設定されることが好ましい。例えば第１のケーシングの開口部は肉厚に形成されるとともに第１のケーシングの内側に段部を有し、この段部が操作部と接触することにより録音機能がオン状態に設定される。
【０００９】
また、部品点数を減らし空間を効率的に利用するには、第１のケーシングの内側に、第１のケーシングに近接するとともに第１のケーシングに平行に回路基板を設け、録音マイクを回路基板に設けることが好ましい。また、同様にスイッチを回路基板に設けられることが好ましい。
【００１０】
双眼鏡を覗きながら音声を効率よく集音するには、録音マイクは双眼鏡の底面に設けられていることが好ましい。また底面に三脚を取り付けるための三脚取付部を設けることにより、双眼鏡を固定して利用することが可能となる。
【００１１】
双眼鏡は画像撮影手段を備えることが好ましく、録音マイクにより録音された音声データは画像撮影手段により撮影された画像に対応付けて記録可能である。
【００１２】
【発明の実施の形態】
以下、本発明の実施の形態を、図面を参照して説明する。
図１は、本発明の一実施形態であるデジタルカメラ機能付き双眼鏡の外観を接眼レンズ側（背面側）から見たときの斜視図である。図２、図３は図１の双眼鏡の正面図（対物レンズ側）及び底面図であり、双眼鏡の眼幅が最小にされ、折畳式の画像表示装置が閉じられた状態を示す。一方、図４、図５も図１の双眼鏡の正面図及び底面図であるが、双眼鏡の眼幅が最大にされ、折畳式の画像表示装置が開かれた状態を示す。以下図１〜図５を参照して本実施形態のデジタルカメラ機能付き双眼鏡の概略について説明する。
【００１３】
デジタルカメラ機能付き双眼鏡１０は、本体１０Ａと、眼幅調整のために本体１０Ａに対し横幅方向（矢印Ａ方向）に相対的に変位可能である可動部１０Ｂとからなる。図１〜図３は、眼幅が最小にされた状態を示し、図４、図５は眼幅が最大幅に広げられた状態を示す。図４、図５に示されるように、双眼鏡本体１０Ａのケーシングは、可動部１０Ｂのケーシングの開口部１０ｂに摺動自在に嵌入される嵌入部１０ａを有する。嵌入部１０ａの外殻は、可動部１０Ｂ内に嵌入されるため本体１０Ａの主要部のケーシングの寸法よりも小さく段部１０ｃにより主要部と連結される。双眼鏡１０を使用しないときには、本体１０Ａ及び可動部１０Ｂは眼幅が最小となる位置まで縮められ（図１〜図３の状態）、嵌入部１０ａは可動部１０Ｂの内側に全て嵌入される。すなわち、可動部１０Ｂの開口部１０ｂは、双眼鏡本体１０Ａの段部１０ｃに当接される。
【００１４】
本体１０Ａには、右眼用の観察光学系とデジタルカメラ用の撮影光学系が搭載され、可動部１０Ｂには、左眼用の観察光学系が搭載される。すなわち本体１０Ａの正面には、双眼鏡用の対物レンズ１１Ｒ、及びデジタルカメラ用の対物レンズ１３が設けられ、背面には対物レンズ１１Ｒに対応する接眼レンズ１２Ｒが設けられる。一方、可動部１０Ｂの正面には双眼鏡用の対物レンズ１１Ｌが設けられ、その背面には対物レンズ１１Ｌに対応する接眼レンズ１２Ｌが設けられる。なお、図１、図５には接眼レンズ１２Ｌ、１２Ｒが双眼鏡のケーシングから張り出した状態が示され、図３ではケーシング内に収納された状態が示される。接眼レンズ１２Ｌ、１２Ｒの光軸方向への移動は、後述する転輪の回転操作により行われる。
【００１５】
また、デジタルカメラ用の対物レンズ１３は対物レンズ１１Ｌ、１１Ｒの間に配置され、使用されていないときは、レンズバリアにより閉じられている。レンズバリアの開閉は双眼鏡本体１０Ａの正面に設けられたスライドレバー１３Ｓを操作することにより行われる。
【００１６】
双眼鏡本体１０Ａのケーシングの上面には、例えばＬＣＤ（ｌｉｑｕｉｄ  ｃｒｙｓｔａｌ  ｄｉｓｐｌａｙ）等からなる画像表示部１４Ｄ（図１参照）を備えた画像表示装置１４が設けられる。ケーシング上面において画像表示装置１４よりも接眼部よりには、双眼鏡用の光学系及びデジタルカメラ用の光学系に連動し、それぞれの光学系の合焦を行うための転輪１５が設けられる。画像表示装置１４は、パネル状に成形されており、双眼鏡ケーシングの底面と正面の稜線に平行な軸を回転軸に開閉自在である（図１の矢印Ｂ）。すなわち、画像表示装置１４が開かれると、画面（ＬＣＤ１４Ｄ）は背面方向（接眼レンズ側）に向けて略直立される（図１、図４、図７）。また、画像表示装置１４が閉じられると、画面は双眼鏡本体１０Ａのケーシング底面に臥せられる（図２、図６）。なお、画像表示部１４Ｄには、撮影された画像、あるいはデジタルカメラを通した動画像が表示される。
【００１７】
図１に示されるように、双眼鏡本体１０Ａの図中左側にはレリーズスイッチ１６が設けられる。本体１０Ａのケーシング底面において、レリーズスイッチ１６よりも前側（正面より）には、メニュキー１７、ディスプレイキー１８、及び上下左右方向に対応する４つの矢印キー１９Ｕ、１９Ｄ、１９Ｌ、１９Ｒと、これらに囲まれるＯＫキー２０とが設けられる。すなわち、ユーザがデジタルカメラ機能付き双眼鏡１０を使用するために右手で本体１０Ａを保持したとき、右手の人差指はスイッチ群１６〜２０を操作可能な位置に位置する。
【００１８】
一方、図３、図５に示すように双眼鏡本体１０Ａの底面には三脚取付部２１が設けられ、三脚取付部２１には三脚ネジ穴２１ａが設けられる。すなわち、双眼鏡１０は、三脚取付部２１を介して図示しない三脚の雲台に固定することができる。
【００１９】
また、双眼鏡本体１０Ａの嵌入部１０ａの底面には録音マイク２２が配置される。すなわち図３に示されるように、双眼鏡１０の眼幅が最小とされているときには録音マイク２２は可動部１０Ｂのケーシングに覆い隠されている。可動部１０Ｂのケーシングの底面において、開口部１０ｂの縁には、切欠き１０ｄが形成されており、図５に示されるように、双眼鏡１０の眼幅が最大とされるとき、切欠き１０ｄは録音マイク２２の位置まで移動し、録音マイク２２は切欠き１０ｄを通して露出される。
【００２０】
なお、双眼鏡本体１０Ａの側端部にはＵＳＢ／ビデオ出力端子３０が設けらておりＵＳＢ／ビデオ出力端子３０は、端子カバー３０Ｃにより覆われる。また、可動部１０Ｂの側端部には、電池格納室３１（図６、図７参照）が設けられており電池格納室は、電池カバー３１Ｃ（図１、図３、図５参照）により覆われる。
【００２１】
次に図６、図７を参照して、本実施形態における録音マイクのケーシング内の位置及び録音モードのオン／オフを切り替えるスイッチ機能について説明する。
【００２２】
図６、図７は、図２及び図４の正面図において、スイッチ機能に関わる部分、及び録音マイク２２の配置に関わる部分のみ断面図として表わした部分断面図である。
【００２３】
録音マイク２２は、本体１０Ａのケーシング内においてその底面に隣接しかつ底面に平行に設けられた回路基板２３の嵌入部１０ａに対応する領域に取り付けられる。録音マイク２２が取り付けられた位置に対応する本体１０Ａの嵌入部１０ａのケーシング底面には、ケーシングの内外を連通し、録音マイク２２の外径と略同じ大きさの穿孔が設けられる。すなわち、録音マイク２２は嵌入部１０ａのケーシング底面に設けられた穿孔を通して外部の音を検出する。本実施形態では、図７に示されるように録音マイク２２は、嵌入部１０ａの終端部付近に設けられ、双眼鏡の眼幅が最大にされたときに、可動部１０Ｂの開口部１０ｂの縁に設けられた切欠き１０ｄを通して録音マイク２２が露出するように配置される。
【００２４】
本実施形態において、回路基板２３は嵌入部１０ａの終端部と略同じ位置まで延在し、その縁には録音機能のオン／オフ状態を切り替えるための自己復帰型のスイッチ２４が設けられる。スイッチ２４の操作部２４ａは、可動部１０Ｂのケーシング底面に向けられて配置される。操作部２４ａは回路基板２３の厚みと嵌入部１０ａの厚みとを合わせた長さよりも長い。また、嵌入部１０ａの終端部と可動部１０Ｂのケーシングの開口部１０ｂは、双眼鏡１０が最大眼幅位置にまで伸張された状態においても重なり合う領域を有し、本実施形態では、その重なり合った領域における可動部１０Ｂのケーシングの厚みは、他の領域の厚みよりも厚く成形される。すなわち、可動部１０Ｂにおける開口部１０ｂの周縁はケーシングの他の部分よりも厚く成形され、この厚みをもって成形された領域と他の領域との接続部分には段部１０ｅが形成される。段部１０ｅはケーシングの内側に形成され、双眼鏡１０の眼幅が最大位置にまで伸張されるとスイッチ２４の操作部２４ａに接触する。なお、この状態における眼幅（すなわち最大眼幅）は、統計的に調査した人間の最大眼幅よりも十分に広く、眼幅調整による誤動作は生じない。
【００２５】
スイッチ２４の操作部２４ａは図６、図７における左方向に付勢されており、操作部２４ａに何も接触していない状態ではオフ状態を維持する。双眼鏡１０の眼幅が最大位置にされると、可動部１０Ｂの開口部１０ｂに形成された段部１０ｅが操作部２４ａに接触し、図６、７における右方向に操作部２４ａを押し倒す。これにより、スイッチ２４はオン状態に切り替えられる。なお、眼幅が最大位置から若干縮められ、例えば使用者の両眼位置に調整された状態では、スイッチ２４はオフ状態となる。すなわち、本実施形態のデジタルカメラ機能付き双眼鏡では、双眼鏡１０の眼幅を最大にしたときに録音マイクが外部に露出するとともに録音が開始され、眼幅が最大幅よりも狭い通常の使用状態あるいは最小の眼幅まで縮められた状態では、録音マイク２２は可動部１０Ｂ内に隠れ、録音機能はオフ状態に維持される。
【００２６】
なお、本実施形態のデジタルカメラ機能付き双眼鏡１０では、内部に不図示のマイクロコンピュータを有しており、このマイクロコンピュータにより、スイッチ２４やレリーズスイッチ１６のオン・オフ状態、各操作キーの操作状態を把握して撮影動作や撮影画像の記録、録音制御など、双眼鏡１０の動作全体を統括的に制御される。
【００２７】
また、本実施形態のデジタルカメラ機能付き双眼鏡では、双眼鏡の対物レンズ１１Ｌ、１１Ｒを介して観察される画像と略同一の画像を撮影用の光学系である対物レンズ１３を介して撮像できる。すなわち、双眼鏡本体１０Ａ内には図示しない撮像素子が搭載されており、レリーズスイッチ１６が全押しされると、例えば電子シャッタ動作により対物レンズ１３を介した画像がデジタル画像として撮影される。このとき使用者が双眼鏡１０の眼幅を最大位置にすると、録音マイク２２により周囲の音が音声データとして録音され、眼幅が最大位置から縮められると録音が終了し、撮影されたデジタル画像に対応付けて記録される。なお、録音機能は眼幅を最大にしてから（スイッチがオンされてから）所定時間経過後に終了するようにしてもよい。また、音声データは撮影終了後、アフレコとして画像データに対応付けられてもよい。また、本実施形態の場合は、マイクロコンピュータは、録音動作中にレリーズスイッチ１６が全押しされた場合は、録音動作は中止して、録音動作開始直前に撮影した画像には音声データは付加されず、撮影動作を実行する。すなわち、録音中でも、撮影動作が優先されて、シャッターチャンスを逃さないようになっている。
【００２８】
以上のように、本実施形態によれば、録音機能のオン／オフを切り替えるスイッチが双眼鏡のケーシング内部に設けられているので、ケーシング外部に設けられるスイッチの数を低減することができる。またスイッチはケーシングの内部に設けられているので、埃や水等の異物による影響を受け難い。また本実施形態では、双眼鏡の眼幅が最大位置まで伸張されたときに録音マイクが外部に露出されるとともに録音が開始されるので、録音機能を使用しないときには、録音マイクはケーシングの内部に格納されており埃や水等の異物による影響を受け難い。
【００２９】
また、本実施形態によれば、眼幅調整動作により録音動作を実行させることができるので、使用者は録音操作のために双眼鏡１０を持ち替えたりすることなしに、双眼鏡を安定保持した状態のまま、容易かつ迅速に録音動作が行える。
【００３０】
更に、本実施形態では、録音マイクが双眼鏡の底面に設けられているので、双眼鏡使用時に、使用者の口が録音マイクの近くに配置され、音声情報を検知し易い。
【００３１】
なお、本実施形態では、録音マイクは切欠き部を通して外部に露出されたが、切欠きに替えて可動部のケーシングに穿孔を設けてもよいし、眼幅が最大位置にまで伸張されたときに、録音マイクが設けられた嵌入部底面が完全に露出するようにしてもよい。また、本実施形態では、使用者の音声が集音し易い位置を考慮して録音マイクを底面に設けたが、双眼鏡の上面や正面あるいは背面に配置してもよい。
【００３２】
【発明の効果】
以上のように、本発明によれば、小スペースでかつ簡便に利用できる録音機能を双眼鏡に搭載することができる。
【図面の簡単な説明】
【図１】本発明の一実施形態であるデジタル機能付き双眼鏡の接眼レンズ側（背面側）からの斜視図である。
【図２】図１に示された双眼鏡の眼幅が最小位置かつ画像表示装置が折り畳まれた状態での正面図である。
【図３】図２に示された双眼鏡の底面図である。
【図４】図１に示された双眼鏡の眼幅が最大位置かつ画像表示装置が開かれた状態での正面図である。
【図５】図４に示された双眼鏡の底面図である。
【図６】図２に示された双眼鏡の正面図の一部を断面図として示した図である。
【図７】図４に示された双眼鏡の正面図の一部を断面図として示した図である。
【符号の説明】
１０  デジタルカメラ機能付き双眼鏡
１０Ａ  本体
１０Ｂ  可動部
１０ａ  嵌入部
１１Ｒ、１１Ｌ  対物レンズ
１２Ｒ、１２Ｌ  接眼レンズ
２２  録音マイク
２４  スイッチ
【図１】
2004163727.tif 000003
【図２】
2004163727.tif 000004
【図３】
2004163727.tif 000005
【図４】
2004163727.tif 000006
【図５】
2004163727.tif 000007
【図６】
2004163727.tif 000008
【図７】
2004163727.tif 000009